(57)【特許請求の範囲】
【請求項１】
真空容器内に接離可能に設けられた可動接触子と固定接触子とを有する真空バルブを備えた電力用開閉装置の操作装置であって、
上記可動接触子に固定された絶縁ロッドと、
上記絶縁ロッドに相対的に接続され、上記可動接触子を上記固定接触子に対して接離させる駆動力を発生する電磁操作部と、
上記絶縁ロッドと上記電磁操作部との間に介装されて上記可動接触子を上記固定接触子に押し付ける方向に付勢する弾性部材とを備え、
上記電磁操作部が、
それぞれ第１および第２辺が基部の両端部から一側に延設されたコ字状に成形され、第１および第２辺の先端面を対向させて配設された一対の固定鉄心と、
第１および第２フランジ部が基部の軸心方向の両端部に該基部の軸心と直交するように形成され、上記一対の固定鉄心内に軸心方向に移動可能に配設された可動鉄心と、
一端が上記可動鉄心の第１フランジ部に同軸に固着され、上記一対の固定鉄心の第１辺間から延出する他端が上記弾性部材を介して上記絶縁ロッドに接続された可動軸と、
上記一対の固定鉄心の基部の内壁面にそれぞれ固着され、上記可動鉄心の軸方向と直交し、かつ、互いに逆向きに磁化された一対の永久磁石と、
一端が上記一対の永久磁石のそれぞれに接続され、他端側が上記第１フランジ部の上記第２フランジ部側の面に対向するように配置された一対の磁路形成板と、
上記一対の固定鉄心の基部のそれぞれの第１辺側に巻装された投入用コイルと、
上記可動鉄心の基部を囲繞するように該可動鉄心と上記磁路形成板とで囲まれた空間内に配設された開放用コイルとを有し、
上記一対の永久磁石は、上記可動接触子が上記固定接触子から切り離された上記真空バルブの開放状態では、上記永久磁石の磁束が、上記固定鉄心の基部、上記第２辺、上記第２フランジ部、上記可動鉄心の基部、上記第１フランジ部、上記磁路形成板、および上記永久磁石からなる開放側磁気回路を流れて、該可動接触子を該固定接触子から切り離す方向に上記可動鉄心を磁気吸引する磁気吸引力を発生し、かつ、上記可動接触子が上記固定接触子に当接した上記真空バルブの投入状態では、上記永久磁石の磁束が、上記固定鉄心の基部、上記第１辺、上記第１フランジ部、上記可動鉄心の基部、上記磁路形成板、および上記永久磁石からなる投入側磁気回路を流れて、該可動接触子を該固定接触子に当接させる方向に上記可動鉄心を磁気吸引する磁気吸引力を発生し、
上記真空バルブの投入動作時には、上記開放側磁気回路と上記永久磁石を共有する上記投入用コイルを１周する磁気回路を形成し、かつ、上記永久磁石の内部を磁化方向に磁束を流すように上記投入用コイルに通電し、上記真空バルブの開放動作時には、上記投入側磁気回路と上記永久磁石を共有する上記開放用コイルを１周する磁気回路を形成し、かつ、上記永久磁石の内部を磁化方向に磁束を流すように上記開放用コイルに通電するように構成されていることを特徴とする電力用開閉装置の操作装置。
【請求項２】
真空容器内に接離可能に設けられた可動接触子と固定接触子とを有する真空バルブを備えた電力用開閉装置の操作装置であって、
上記可動接触子に固定された絶縁ロッドと、
上記絶縁ロッドに相対的に接続され、上記可動接触子を上記固定接触子に対して接離させる駆動力を発生する電磁操作部と、
上記絶縁ロッドと上記電磁操作部との間に介装されて上記可動接触子を上記固定接触子に押し付ける方向に付勢する弾性部材とを備え、
上記電磁操作部が、
それぞれ第１および第２辺が基部の両端部から一側に延設されたコ字状に成形され、第１および第２辺の先端面を対向させて配設された一対の固定鉄心と、
第１および第２フランジ部が基部の軸心方向の両端部に該基部の軸心と直交するように形成され、上記一対の固定鉄心内に軸心方向に移動可能に配設された可動鉄心と、
一端が上記可動鉄心の第１フランジ部に同軸に固着され、上記一対の固定鉄心の第１辺間から延出する他端が上記弾性部材を介して上記絶縁ロッドに接続された可動軸と、
上記可動鉄心の基部の上記第１フランジ部近傍に、上記一対の固定鉄心の基部のそれぞれに相対するように固着され、上記可動鉄心の軸方向と平行に、かつ、互いに同じ向きに磁化された一対の永久磁石と、
一端が上記一対の永久磁石のそれぞれの上記第２フランジ部側の面に接続され、他端側が上記固定鉄心の基部のそれぞれに近接するように配置された一対の磁路形成板と、
上記一対の固定鉄心の基部のそれぞれの第１辺側に巻装された投入用コイルと、
上記可動鉄心の基部を囲繞するように該可動鉄心と上記磁路形成板とで囲まれた空間内に配設された開放用コイルと、を有し、
上記一対の永久磁石は、上記可動接触子が上記固定接触子から切り離された上記真空バルブの開放状態で、上記永久磁石の磁束が、上記第１フランジ部、上記可動鉄心の基部、上記第２フランジ部、上記第２辺、上記固定鉄心の基部、上記磁路形成板、および上記永久磁石からなる開放側磁気回路を流れて、該可動接触子を該固定接触子から切り離す方向に上記可動鉄心を磁気吸引する磁気吸引力を発生し、かつ、上記可動接触子が上記固定接触子に当接した上記真空バルブの投入状態で、上記永久磁石の磁束が、上記第１フランジ部、上記第１辺、上記固定鉄心の基部、上記磁路形成板、および上記永久磁石からなる投入側磁気回路を流れて、該可動接触子を該固定接触子に当接させる方向に上記可動鉄心を磁気吸引する磁気吸引力を発生し、
上記真空バルブの投入動作時には、上記開放側磁気回路と上記永久磁石を共有する上記投入用コイルを１周する磁気回路を形成し、かつ、上記永久磁石の内部を磁化方向に磁束を流すように上記投入用コイルに通電し、上記真空バルブの開放動作時には、上記投入側磁気回路と上記永久磁石を共有する上記開放用コイルを１周する磁気回路を形成し、かつ、上記永久磁石の内部を磁化方向に磁束を流すように上記開放用コイルに通電するように構成されていることを特徴とする電力用開閉装置の操作装置。
【請求項３】
３相分の上記絶縁ロッドが並列に配設され、上記可動軸がリンク機構を介して３相分の上記絶縁ロッドに連結され、３相分の上記真空バルブが１つの上記電磁操作部により投入・開放制御されるように構成されていることを特徴とする請求項１又は請求項２記載の電力用開閉装置の操作装置。
【請求項４】
３相分の上記絶縁ロッドが並列に配設され、それぞれ、上記可動軸、上記弾性部材および上記絶縁ロッドを直線的に配置して構成された３相分の上記電磁操作部が、並列に配設されていることを特徴とする請求項１又は請求項２記載の電力用開閉装置の操作装置。
【請求項５】
隣り合う上記電磁操作部が上記可動軸の軸方向にオフセットされて段違いに配設されていることを特徴とする請求項４記載の電力用開閉装置の操作装置。
【発明の詳細な説明】
【０００１】
【発明の属する技術分野】
この発明は、電力用開閉装置の操作装置に関し、特にその遮断器もしくは断路器を構成する真空バルブの操作装置に関するものである。
【０００２】
【従来の技術】
図１２は例えば特開２０００−２６８６８３号公報に記載された従来の電力用開閉装置の操作装置を示す模式断面図であり、図１２の（ａ）は真空バルブの投入状態を示し、図１２の（ｂ）は真空バルブの開放状態を示している。図１３は図１２に示される従来の電力用開閉装置の操作装置の開放動作説明図、図１４は図１２に示される従来の電力用開閉装置の操作装置の投入動作説明図である。
【０００３】
図１２において、操作装置１は、可動接触子２ａと固定接触子２ｂとが真空容器２ｃ内に接離可能に配設されて構成された真空バルブ２、例えば真空遮断器を操作するものであり、操作ロッド３が可動接触子２ａに固着され、可動接触子２ａを固定接触子２ｂに対して接離させる方向（図中の上下方向）に移動可能に保持されている。
【０００４】
可動部材４は、断面ハット型に形成され、操作ロッド３に相対移動可能に接続され、かつ、断面カップ型の固定部材５に図中上下方向に移動可能に保持されている。第１の弾性部材６は操作ロッド３と可動部材４との間に介装され、可動部材４に対して稼動接触子２ａを固定接触子２ｂに押し付ける方向に、操作ロッド３を付勢している。可動部材４を固定部材５に対して吸引駆動するための円盤状の永久磁石７が固定されている。この永久磁石７は、軸方向の対向する端面にそいれぞれＮ極、Ｓ極が着磁されたものである。
【０００５】
ここで、可動接触子２ａが固定接触子２ｂに当接して真空バルブ２が投入している状態では、図１２の（ａ）に示されるように、固定部材５に対して、可動接触子２ａを固定接触子２ｂに押し付ける方向に永久磁石７のＮＳ二極の磁路の往来８ａ、８ｂで吸引する投入側磁気回路８が形成されている。一方、可動接触子２ａが固定接触子２ｂから離れて真空バルブ２が開放している状態では、図１２の（ｂ）に示されるように、固定部材５に対して、可動接触子２ａを固定接触子２ｂから離す方向に永久磁石７のＮＳ二極のうちいずれか一極側９ａで吸引する開放側磁気回路９が形成されている。
【０００６】
また、操作電磁石巻線１０が可動部材４に固定され、可動部材４と操作電磁石巻線１０とにより構成される操作電磁石が、投入側磁気回路８および開放側磁気回路９の磁束を増減するようになっている。さらに、可動部材４を固定部材５に対して可動接触子２ａを固定接触子２ｂから離す方向に付勢するために、第２の弾性部材１１が配設されている。
【０００７】
つぎに、このように構成された従来の操作装置１による真空バルブ２の開放動作について図１３を参照しつつ説明する。
真空バルブ２が投入状態にあるときに、操作電磁石巻線１０に電流を流し、図１３の（ａ）に点線で示されるように、投入側磁気回路８を流れる永久磁石７の磁束に反発させる磁束を発生させる。これにより、投入側磁気回路８を流れる永久磁石７の磁束が操作電磁石巻線１０により発生された磁束により相殺され、永久磁石７の磁力が減少する。そこで、第１および第２の弾性部材６、１１が可動部材４を固定部材５に対して可動接触子２ａを固定接触子２ｂから切り離す方向に付勢し、可動部材４が図１３の(a)中下方向に移動する。この可動部材４が固定部材５の下部側に到達すると、図１３の（ｂ）に示されるように、開放側磁気回路９が形成され、開放側磁気回路９を流れる永久磁石７の磁束に操作電磁石巻線１０により発生された磁束が加わる。これにより、可動部材４を磁気吸引した状態となり、可動接触子２ａが固定接触子２ｂから切り離された開放状態となる。
【０００８】
ついで、この従来の操作装置１による真空バルブ２の投入動作について図１４を参照しつつ説明する。
真空バルブ２が開放状態にあるときに、操作電磁石巻線１０に電流を流し、図１４の（ａ）に点線で示されるように、開放側磁気回路９を流れる永久磁石７の磁束に反発させる磁束を発生させる。この時の電磁反発力により、可動部材４を固定部材５に対して可動接触子２ａを固定接触子２ｂに押し付ける方向に付勢し、可動部材４が図１４の（ｂ）に示される位置に到達すると、投入側磁気回路８が形成され、投入側磁気回路８を流れる永久磁石７の磁束に操作電磁石巻線１０により発生された磁束が加わる。これにより、第１および第２の弾性部材６、１１の力に抗して可動部材４を磁気吸引した状態となり、可動接触子２ａが固定接触子２ｂに当接された投入状態となる。
【０００９】
【発明が解決しようとする課題】
従来の操作装置は、以上のように構成されているので、投入・遮断操作の際に、操作電磁石巻線１０により発生される磁界が永久磁石７にとって反磁界となる状態が生じてしまい、永久磁石７の減磁をもたらし、開閉動作の信頼性が低下してしまうという課題があった。
【００１０】
この発明は、上記の課題を解消するためになされたもので、開放・投入操作時のコイルによる磁束が永久磁石の内部を磁化方向に流れるように投入側および開放側磁気回路を構成し、永久磁石の減磁をなくし、開閉動作の信頼性を高めることができる電力用開閉装置の操作装置を提供することを目的とする。
【００１１】
【課題を解決するための手段】
この発明に係る電力用開閉装置の操作装置は、真空容器内に接離可能に設けられた可動接触子と固定接触子とを有する真空バルブを備えた電力用開閉装置の操作装置であって、
上記可動接触子に固定された絶縁ロッドと、
上記絶縁ロッドに相対的に接続され、上記可動接触子を上記固定接触子に対して接離させる駆動力を発生する電磁操作部と、
上記絶縁ロッドと上記電磁操作部との間に介装されて上記可動接触子を上記固定接触子に押し付ける方向に付勢する弾性部材とを備え、
上記電磁操作部が、
それぞれ第１および第２辺が基部の両端部から一側に延設されたコ字状に成形され、第１および第２辺の先端面を対向させて配設された一対の固定鉄心と、
第１および第２フランジ部が基部の軸心方向の両端部に該基部の軸心と直交するように形成され、上記一対の固定鉄心内に軸心方向に移動可能に配設された可動鉄心と、
一端が上記可動鉄心の第１フランジ部に同軸に固着され、上記一対の固定鉄心の第１辺間から延出する他端が上記弾性部材を介して上記絶縁ロッドに接続された可動軸と、
上記一対の固定鉄心の基部の内壁面にそれぞれ固着され、上記可動鉄心の軸方向と直交し、かつ、互いに逆向きに磁化された一対の永久磁石と、
一端が上記一対の永久磁石のそれぞれに接続され、他端側が上記第１フランジ部の上記第２フランジ部側の面に対向するように配置された一対の磁路形成板と、
上記一対の固定鉄心の基部のそれぞれの第１辺側に巻装された投入用コイルと、
上記可動鉄心の基部を囲繞するように該可動鉄心と上記磁路形成板とで囲まれた空間内に配設された開放用コイルとを有し、
上記一対の永久磁石は、上記可動接触子が上記固定接触子から切り離された上記真空バルブの開放状態では、上記永久磁石の磁束が、上記固定鉄心の基部、上記第２辺、上記第２フランジ部、上記可動鉄心の基部、上記第１フランジ部、上記磁路形成板、および上記永久磁石からなる開放側磁気回路を流れて、該可動接触子を該固定接触子から切り離す方向に上記可動鉄心を磁気吸引する磁気吸引力を発生し、かつ、上記可動接触子が上記固定接触子に当接した上記真空バルブの投入状態では、上記永久磁石の磁束が、上記固定鉄心の基部、上記第１辺、上記第１フランジ部、上記可動鉄心の基部、上記磁路形成板、および上記永久磁石からなる投入側磁気回路を流れて、該可動接触子を該固定接触子に当接させる方向に上記可動鉄心を磁気吸引する磁気吸引力を発生し、
上記真空バルブの投入動作時には、上記開放側磁気回路と上記永久磁石を共有する上記投入用コイルを１周する磁気回路を形成し、かつ、上記永久磁石の内部を磁化方向に磁束を流すように上記投入用コイルに通電し、上記真空バルブの開放動作時には、上記投入側磁気回路と上記永久磁石を共有する上記開放用コイルを１周する磁気回路を形成し、かつ、上記永久磁石の内部を磁化方向に磁束を流すように上記開放用コイルに通電するように構成されているものである。
【００１２】
また、真空容器内に接離可能に設けられた可動接触子と固定接触子とを有する真空バルブを備えた電力用開閉装置の操作装置であって、
上記可動接触子に固定された絶縁ロッドと、
上記絶縁ロッドに相対的に接続され、上記可動接触子を上記固定接触子に対して接離させる駆動力を発生する電磁操作部と、
上記絶縁ロッドと上記電磁操作部との間に介装されて上記可動接触子を上記固定接触子に押し付ける方向に付勢する弾性部材とを備え、
上記電磁操作部が、
それぞれ第１および第２辺が基部の両端部から一側に延設されたコ字状に成形され、第１および第２辺の先端面を対向させて配設された一対の固定鉄心と、
第１および第２フランジ部が基部の軸心方向の両端部に該基部の軸心と直交するように形成され、上記一対の固定鉄心内に軸心方向に移動可能に配設された可動鉄心と、
一端が上記可動鉄心の第１フランジ部に同軸に固着され、上記一対の固定鉄心の第１辺間から延出する他端が上記弾性部材を介して上記絶縁ロッドに接続された可動軸と、
上記可動鉄心の基部の上記第１フランジ部近傍に、上記一対の固定鉄心の基部のそれぞれに相対するように固着され、上記可動鉄心の軸方向と平行に、かつ、互いに同じ向きに磁化された一対の永久磁石と、
一端が上記一対の永久磁石のそれぞれの上記第２フランジ部側の面に接続され、他端側が上記固定鉄心の基部のそれぞれに近接するように配置された一対の磁路形成板と、
上記一対の固定鉄心の基部のそれぞれの第１辺側に巻装された投入用コイルと、
上記可動鉄心の基部を囲繞するように該可動鉄心と上記磁路形成板とで囲まれた空間内に配設された開放用コイルと、を有し、
上記一対の永久磁石は、上記可動接触子が上記固定接触子から切り離された上記真空バルブの開放状態で、上記永久磁石の磁束が、上記第１フランジ部、上記可動鉄心の基部、上記第２フランジ部、上記第２辺、上記固定鉄心の基部、上記磁路形成板、および上記永久磁石からなる開放側磁気回路を流れて、該可動接触子を該固定接触子から切り離す方向に上記可動鉄心を磁気吸引する磁気吸引力を発生し、かつ、上記可動接触子が上記固定接触子に当接した上記真空バルブの投入状態で、上記永久磁石の磁束が、上記第１フランジ部、上記第１辺、上記固定鉄心の基部、上記磁路形成板、および上記永久磁石からなる投入側磁気回路を流れて、該可動接触子を該固定接触子に当接させる方向に上記可動鉄心を磁気吸引する磁気吸引力を発生し、
上記真空バルブの投入動作時には、上記開放側磁気回路と上記永久磁石を共有する上記投入用コイルを１周する磁気回路を形成し、かつ、上記永久磁石の内部を磁化方向に磁束を流すように上記投入用コイルに通電し、上記真空バルブの開放動作時には、上記投入側磁気回路と上記永久磁石を共有する上記開放用コイルを１周する磁気回路を形成し、かつ、上記永久磁石の内部を磁化方向に磁束を流すように上記開放用コイルに通電するように構成されているものである。
【００１３】
また、３相分の上記絶縁ロッドが並列に配設され、上記可動軸がリンク機構を介して３相分の上記絶縁ロッドに連結され、３相分の上記真空バルブが１つの上記電磁操作部により投入・開放制御されるように構成されているものである。
【００１４】
また、３相分の上記絶縁ロッドが並列に配設され、それぞれ、上記可動軸、上記弾性部材および上記絶縁ロッドを直線的に配置して構成された３相分の上記電磁操作部が、並列に配設されているものである。
【００１５】
また、隣り合う上記電磁操作部が上記可動軸の軸方向にオフセットされて段違いに配設されているものである。
【００１６】
【発明の実施の形態】
以下、この発明の実施の形態を図について説明する。
実施の形態１．
図１はこの発明の実施の形態１に係る電力用開閉装置の操作装置の全体構成を示す断面図、図２はこの発明の実施の形態１に係る電力用開閉装置の操作装置における電磁操作部を示す断面図である。図３はこの発明の実施の形態１に係る電力用開閉装置の操作装置における電磁操作部の投入・開放状態を模式的に示す断面図であり、その右半分が投入状態を示し、左半分が開放状態を示している。図４はこの発明の実施の形態１に係る電力用開閉装置の操作装置における電磁操作部の投入動作を説明する図、図５はこの発明の実施の形態１に係る電力用開閉装置の操作装置における電磁操作部の開放動作を説明する図である。
【００１７】
図１において、真空バルブ２は、真空容器２ｃ内に可動接触子２ａと固定接触子２ｂとを接離可能に配設して構成され、例えば真空遮断器として機能する。そして、３つの真空バルブ２が、可動接触子２ａと固定接触子２ｂとの接離方向を平行として並列に配設されている。
【００１８】
この開閉装置１００は、１つの電磁操作部３０と、各可動接触子２ａに固定された３相分の絶縁ロッド２０と、電磁操作部３０と３相分の絶縁ロッド２０とを連結するリンク機構２１と、各絶縁ロッド２０とリンク機構２１との間に介装された弾性部材としてのワイプバネ２２とから構成されている。この絶縁ロッド２０は、セラミックなどの電気絶縁材料で作製され、真空バルブ２と電磁操作部３０との間を電気的に絶縁するとともに、電磁操作部３０の駆動力を真空バルブ２に伝達する機能を有している。
これにより、３相分の真空バルブ２が１つの電磁操作部３０により同時駆動されるようになっている。
【００１９】
ついで、電磁操作部３０の構成について図２を参照しつつ説明する。
電磁操作部３０は、強磁性材料で作製された一対の固定子鉄心３１と、強磁性材料で作製された可動鉄心３２、可動鉄心３２に固着された可動軸３３と、永久磁石３４と、強磁性材料で作製された磁路形成板３５と、開放用コイル３６と、投入用コイル３７とから構成されている。
【００２０】
各固定鉄心３１は、基部３１ａと、基部３１ａの両端から一側に延出する第１辺としての上辺３１ｂおよび第２辺としての下辺３１ｃとからなるコ字状に構成されている。そして、一対の固定鉄心３１が、上下辺３１ｂ、３１ｃの先端面を所定の隙間を有して相対して配設されている。
可動鉄心３２は、直方体の基部３２ａと、基部３２ａの両端から基部３２ａの軸心と直交するように延設された第１フランジ部としての上フランジ部３２ｂおよび第２フランジ部としての下フランジ部３２ｃとから構成されている。この可動鉄心３２は、一対の固定鉄心３１内に軸方向に移動可能に配設されている。そして、可動軸３３が、可動鉄心３２の上フランジ部３２ｂに同軸に固着され、一対の固定鉄心３１間の隙間（上辺３１ｂ間）から延出している。
永久磁石３４は、直方体に成形され、各固定鉄心３１の基部３１ａの内壁面中央部に固着されている。そして、Ｌ字状に成形された磁路形成板３５が、１辺を上フランジ部３２ｂの内壁面に相対させて、他の１辺を永久磁石３４の内壁面に固着されている。
開放用コイル３６は、導線を環状に所定回巻回して構成され、可動鉄心３２および磁路形成板３５で囲まれた空間内に、基部３２ａを囲繞するように配設されている。また、投入用コイル３７は、各固定鉄心３１の基部３１ａの上辺３１ｂ近傍に導線を所定回巻回して構成されている。
【００２１】
ここで、各永久磁石３４は、その磁化方向Ａが、可動鉄心３２の軸方向と直交する方向で、かつ、可動鉄心３２から離反する方向に一致するように配置されている。
このように構成された電磁操作部３０は、可動軸３３の延出端がリンク機構２１に連結され、各絶縁ロッド２０がワイプバネ２２を介してリンク機構２１に連結されて、各真空バルブ２に接続されている。
【００２２】
ここで、可動接触子２ａが固定接触子２ｂから離れて真空バルブ２が開放している状態（図１の左半分の真空バルブ２）では、図３の左半分に示されるように、可動鉄心３２が下方に移動し、下フランジ部３２ｃが固定鉄心３１の下辺３１ｃに近接する位置（開放位置）に位置している。この時、基部３１ａ、下辺３１ｃ、下フランジ部３２ｃ、基部３２ａ、上フランジ部３２ｂ、磁路形成板３５および永久磁石３４からなる開放側磁気回路２８が形成され、永久磁石３４による磁束が図３に矢印で示されるように開放側磁気回路２８に流れる。これにより、上フランジ部３２ｂと磁路形成板３５との間および下フランジ部３２ｃと下辺３１ｃとの間に磁気吸引力が発生し、可動鉄心３２が固定鉄心３１に磁気吸引されて開放位置に保持され、可動接触子２ａが固定接触子２ｂから離反した状態が確保される。
【００２３】
一方、可動接触子２ａが固定接触子２ｂに当接して真空バルブ２が投入している状態（図１の右半分の真空バルブ２）では、図３の右半分に示されるように、可動鉄心３２が上方に移動し、上フランジ部３２ｂが固定鉄心３１の上辺３１ｂに近接する位置（投入位置）に位置している。この時、基部３１ａ、上辺３１ｂ、上フランジ部３２ｂ、基部３２ａ、磁路形成板３５および永久磁石３４からなる投入側磁気回路２９が形成され、永久磁石３４による磁束が図３に矢印で示されるように投入側磁気回路２９に流れる。これにより、上フランジ部３２ｂと上辺３１ｂとの間に磁気吸引力が発生し、可動鉄心３２が固定鉄心３１に磁気吸引されて投入位置に保持される。そこで、ワイプバネ２２の蓄勢力が絶縁ロッド２０を介して可動接触子２ａに加わり、可動接触子２ａと固定接触子２ｂとの接触圧が確保される。
【００２４】
つぎに、このように構成された操作装置１００による真空バルブ２の投入動作について図４を参照しつつ説明する。
真空バルブ２が開放状態にあるときに、投入用コイル３７に通電する。これにより、図４の（ａ）に一点鎖線で示されるように、開放側磁気回路２８に加えて、基部３１ａ、上辺３１ｂ、上フランジ部３２ｂ、磁路形成板３５および永久磁石３４で構成される投入用コイル３７を１周する磁気回路３８が形成される。そして、投入用コイル３７には、磁束が磁気回路３８を図４の（ａ）に矢印で示される方向に流れるように通電される。
そこで、永久磁石３４による磁束の一部が、磁気回路３８に流れ、開放側磁気回路２８を流れる永久磁石３７による磁束が減少される。これにより、下フランジ部３２ｃと下辺３１ｃとの間の磁気吸引力が弱められる。一方、磁束が磁気回路３８に流れることにより、上フランジ部３２ｂと上辺３１ｂとの間に磁気吸引力が発生する。
【００２５】
そして、投入用コイル３７への通電を続けることにより、上フランジ部３２ｂと上辺３１ｂとの間の磁気吸引力が下フランジ部３２ｃと下辺３１ｃとの間の磁気吸引力より大きくなり、可動鉄心３２が上方に移動する。そして、可動鉄心３２の移動に連動して可動接触子２ａが固定接触子２ｂへの接近を開始する。ワイプバネ２２は、可動接触子２ａが固定接触子２ｂに接した後、蓄勢される。そして、可動鉄心３２が投入位置に到達すると、図４の（ｂ）に示されるように、投入側磁気回路２９が形成される。そこで、投入用コイル３７への通電が停止され、可動鉄心３２が投入側磁気回路２９により投入位置に保持され、可動接触子２ａが固定接触子２ｂに当接した投入状態となる。また、可動接触子２ａと固定接触子２ｂとの接触圧がワイプバネ２２の蓄勢力により確保される。
【００２６】
ついで、この操作装置１００による真空バルブ２の開放動作について図５を参照しつつ説明する。
真空バルブ２が投入状態にあるときに、開放用コイル３６に通電する。これにより、図５の（ａ）に一点鎖線で示されるように、投入側磁気回路２９に加えて、基部３１ａ、下辺３１ｃ、下フランジ部３２ｃ、基部３２ａ、磁路形成板３５および永久磁石３４で構成される開放用コイル３６を１周する磁気回路３９が形成される。そして、開放用コイル３６には、磁束が磁気回路３９を図５の（ａ）に矢印で示される方向に流れるように通電される。
そこで、永久磁石３４による磁束の一部が、磁気回路３９に流れ、投入側磁気回路２９を流れる永久磁石３７による磁束が減少される。これにより、上フランジ部３２ｂと上辺３１ｂとの間の磁気吸引力が弱められる。一方、磁束が磁気回路３９に流れることにより、下フランジ部３２ｃと下辺３１ｃとの間に磁気吸引力が発生する。
【００２７】
そして、開放側コイル３６への通電を続けることにより、下フランジ部３２ｃと下辺３１ｃとの間の磁気吸引力およびワイプバネ２２の蓄勢力が上フランジ部３２ｂと上辺３１ｂとの間の磁気吸引力より大きくなり、可動鉄心３２が下方に移動する。そして、ワイプバネ２２の蓄勢力が放勢されると、可動鉄心３２の移動に連動して可動接触子２ａが固定接触子２ｂからの離反を開始する。この可動鉄心３２が開放位置に到達すると、図５の（ｂ）に示されるように、開放側磁気回路２８が形成される。そこで、開放用コイル３６への通電が停止され、可動鉄心３２が開放側磁気回路２８により開放位置に保持され、可動接触子２ａが固定接触子２ｂから切り離された開放状態となる。
【００２８】
このように、この実施の形態１によれば、投入・開放（遮断）操作の際に、開放用および投入用コイル３６、３７により形成される磁気回路３９、３８に流れる磁束が永久磁石３４の磁化方向Ａに流れるように構成されているので、永久磁石３４の減磁がなく、開閉動作の信頼性が向上される。
また、開放用磁気回路２８と投入用磁気回路２９とが固定鉄心３１内で分離して構成されているので、開放用および投入用コイル３６、３７の励磁とともに磁気回路が互いに干渉することなく切り替わる。そこで、コイル電流の立ち上がりが高速となり、高速な開閉動作を実現できる。
また、リンク機構２１が可動軸３３の一端に連結され、３相分の絶縁ロッド２０がワイプバネ２２を介してリンク機構２１に連結されているので、３相電力の電力用開閉装置を１つの電磁操作部３０で同時開閉動作できる。そこで、操作装置の低コスト化が図られるとともに、相間のばらつきがなく、遮断性能の信頼性を向上させることができる。
【００２９】
ここで、可動鉄心３２を投入方向に付勢する投入バネを配設するようにしてもよい。これにより、投入動作時に、上フランジ部３２ｂと上辺３１ｂとの間の磁気吸引力と投入バネの蓄勢力とが下フランジ部３２ｃと下辺３１ｃとの間の磁気吸引力より大きくなった時点で可動接触子２ａの固定接触子２ｂへの近接が開始されるようになり、高速な投入動作が実現される。
【００３０】
なお、上記実施の形態１では、各永久磁石３４は、その磁化方向Ａが可動鉄心３２の軸方向と直交する方向で、かつ、可動鉄心３２から離反する方向に配置するものとしているが、各永久磁石３４は、その磁化方向Ａが可動鉄心３２の軸方向と直交する方向で、かつ、可動鉄心３２に接近する方向に配置してもよい。この場合、開放・投入動作時に、開放用コイル３６および投入用コイル３７に通電する電流の向きを上記実施の形態１と逆向きにすればよい。
【００３１】
実施の形態２．
図６はこの発明の実施の形態２に係る電力用開閉装置の操作装置の全体構成を示す断面図である。
図６において、開閉装置１０１は、３相分の真空バルブ２が並列に配設され、３相分の絶縁ロッド２０が各真空バルブ２の可動接触子２ａに連結されて並列に配設され、電磁操作部３０の可動軸３２が各相の絶縁ロッド２０にワイプバネ２２を介して連結されている。そして、各相において、絶縁ロッド２０、ワイプバネ２２および可動軸３２が直線的に配置されている。
なお、他の構成は上記実施の形態１と同様に構成されている。
【００３２】
この実施の形態２によれば、各相の真空バルブ２を単独の電磁操作部３０により開閉動作するようにしているので、三相の開閉動作の個別制御が可能となるとともに、位相同期開閉・投入が可能となる。
【００３３】
実施の形態３．
図７はこの発明の実施の形態３に係る電力用開閉装置の操作装置の全体構成を示す断面図である。
図７において、操作装置１０２は、隣り合う電磁操作部３０が可動軸３２の軸方向にオフセットされて段違いに配列されている。
なお、他の構成は上記実施の形態２と同様に構成されている。
【００３４】
この実施の形態３によれば、各相の真空バルブ２をそれぞれ開閉駆動する電磁操作部３０が段違いに配列されているので、隣り合う可動軸３３間の距離を短くした際に電磁操作部３０同士の干渉がない。そこで、可動軸３３間を絶縁距離に近づけることができるので、真空バルブ２の相間絶縁距離内に電磁操作部３０を配置することができ、小型化が図られる。
また、内部の可動鉄心３２の面積を大きく採ることができ、電磁力を省電力で発生させることが可能となる。
【００３５】
実施の形態４．
図８はこの発明の実施の形態４に係る電力用開閉装置の操作装置における電磁操作部を示す断面図である。図９はこの発明の実施の形態４に係る電力用開閉装置の操作装置における電磁操作部の投入・開放状態を模式的に示す断面図であり、その右半分が投入状態を示し、左半分が開放状態を示している。図１０はこの発明の実施の形態４に係る電力用開閉装置の操作装置における電磁操作部の投入動作を説明する図、図１１はこの発明の実施の形態４に係る電力用開閉装置の操作装置における電磁操作部の開放動作を説明する図である。
【００３６】
この実施の形態４による電磁操作部４０は、図８に示されるように、強磁性材料で作製された一対の固定子鉄心４１と、強磁性材料で作製された可動鉄心３２、可動鉄心４２に固着された可動軸４３と、永久磁石４４と、強磁性材料で作製された磁路形成板４５と、開放用コイル４６と、投入用コイル４７とから構成されている。
【００３７】
各固定鉄心４１は、基部４１ａと、基部４１ａの両端から一側に延出する第１辺としての上辺４１ｂおよび第２辺としての下辺４１ｃとからなるコ字状に構成されている。そして、一対の固定鉄心４１が、上下辺４１ｂ、４１ｃの先端面を所定の隙間を有して相対して配設されている。
可動鉄心４２は、直方体の基部４２ａと、基部４２ａの両端から基部４２ａの軸心と直交するように延設された第１フランジ部としての上フランジ部４２ｂおよび第２フランジ部としての下フランジ部４２ｃとから構成されている。この可動鉄心４２は、一対の固定鉄心４１内に軸方向に移動可能に配設されている。そして、可動軸４３が、可動鉄心４２の上フランジ部４２ｂに同軸に固着され、一対の固定鉄心４１間の隙間（上辺４１ｂ間）から延出している。
永久磁石４４は、直方体に成形され、可動鉄心４２の基部４２ａの上フランジ部４２ｂ近傍に固定鉄心４１の基部４１ａに相対するように固着されている。そして、Ｌ字状に成形された磁路形成板４５が、１辺を基部４１ａの内壁面に微小な隙間をもって相対させ、他の１辺を永久磁石４４の下フランジ部４２ｃ側端面に固着されている。また、補助磁路形成板４５ａが永久磁石４４の上フランジ部４２ｂ側端面に固着されている。
開放用コイル４６は、導線を環状に所定回巻回して構成され、可動鉄心４２および磁路形成板４５で囲まれた空間内に、基部４２ａを囲繞するように配設されている。また、投入用コイル４７は、各固定鉄心４１の基部４１ａの上辺４１ｂ近傍に導線を所定回巻回して構成されている。
【００３８】
ここで、各永久磁石４４は、その磁化方向Ａが、可動鉄心４２の軸方向の投入方向（図８の上方向）に一致するように配置されている。
このように構成された電磁操作部４０は、図示していないが、可動軸４３の延出端がリンク機構２１に連結され、各絶縁ロッド２０がワイプバネ２２を介してリンク機構２１に連結されて、各真空バルブ２に接続されている。即ち、この実施の形態４は、電磁操作部３０に代えて電磁操作部４０を用いている点を除いて、上記実施の形態１と同様に構成されている。
【００３９】
ここで、可動接触子２ａが固定接触子２ｂから離れて真空バルブ２が開放している状態では、図９の左半分に示されるように、可動鉄心４２が下方に移動し、下フランジ部４２ｃが固定鉄心４１の下辺４１ｃに近接する位置（開放位置）に位置している。この時、補助磁路形成板４５ａ、上フランジ部４２ｂ、基部４２ａ、下フランジ部４２ｃ、下辺４１ｃ、基部４１ａ、磁路形成板４５および永久磁石４４からなる開放側磁気回路５０が形成され、永久磁石４４による磁束が図９に矢印で示されるように開放側磁気回路５０に流れる。これにより、下フランジ部４２ｃと下辺４１ｃとの間に磁気吸引力が発生し、可動鉄心４２が固定鉄心４１に磁気吸引されて開放位置に保持され、可動接触子２ａが固定接触子２ｂから離反した状態が確保される。
【００４０】
一方、可動接触子２ａが固定接触子２ｂに当接して真空バルブ２が投入している状態では、図９の右半分に示されるように、可動鉄心４２が上方に移動し、上フランジ部４２ｂが固定鉄心４１の上辺４１ｂに近接する位置（投入位置）に位置している。この時、補助磁路形成板４５ａ、上フランジ部４２ｂ、上辺４１ｂ、基部４１ａ、磁路形成板４５および永久磁石４４からなる投入側磁気回路５１が形成され、永久磁石４４による磁束が図９に矢印で示されるように投入側磁気回路５１に流れる。これにより、上フランジ部４２ｂと上辺４１ｂとの間に磁気吸引力が発生し、可動鉄心４２が固定鉄心４１に磁気吸引されて投入位置に保持される。そこで、ワイプバネ２２の蓄勢力が絶縁ロッド２０を介して可動接触子２ａに加わり、可動接触子２ａと固定接触子２ｂとの接触圧が確保される。
【００４１】
つぎに、このように構成された電磁操作部４０による真空バルブ２の投入動作について図１０を参照しつつ説明する。
真空バルブ２が開放状態にあるときに、投入用コイル４７に通電する。これにより、図１０の（ａ）に一点鎖線で示されるように、開放側磁気回路５０に加えて、補助磁路形成板４５ａ、上フランジ部４２ｂ、上辺４１ｂ、基部４１ａ、磁路形成板４５および永久磁石４４で構成される投入用コイル４７を１周する磁気回路４８が形成される。そして、投入用コイル４７には、磁束が磁気回路４８を図１０の（ａ）に矢印で示される方向に流れるように通電される。
そこで、永久磁石４４による磁束の一部が、磁気回路４８に流れ、開放側磁気回路５０を流れる永久磁石４７による磁束が減少される。これにより、下フランジ部４２ｃと下辺４１ｃとの間の磁気吸引力が弱められる。一方、磁束が磁気回路４８に流れることにより、上フランジ部４２ｂと上辺４１ｂとの間に磁気吸引力が発生する。
【００４２】
そして、投入用コイル４７への通電を続けることにより、上フランジ部４２ｂと上辺４１ｂとの間の磁気吸引力が下フランジ部４２ｃと下辺４１ｃとの間の磁気吸引力より大きくなり、可動鉄心４２が上方に移動する。そして、可動鉄心４２の移動に連動して可動接触子２ａが固定接触子２ｂへの接近を開始する。ワイプバネ２２は、可動接触子２ａが固定接触子２ｂに接した後、蓄勢される。そして、可動鉄心４２が投入位置に到達すると、図１０の（ｂ）に示されるように、投入側磁気回路５１が形成される。そこで、投入用コイル４７への通電が停止され、可動鉄心４２が投入側磁気回路５１により投入位置に保持され、可動接触子２ａが固定接触子２ｂに当接した投入状態となる。また、可動接触子２ａと固定接触子２ｂとの接触圧がワイプバネ２２の蓄勢力により確保される。
【００４３】
ついで、この電磁操作部４０による真空バルブ２の開放動作について図１１を参照しつつ説明する。
真空バルブ２が投入状態にあるときに、開放用コイル４６に通電する。これにより、図１１の（ａ）に一点鎖線で示されるように、投入側磁気回路５１に加えて、補助磁路形成板４５ａ、上フランジ部４２ｂ、基部４２ａ、下フランジ部４２ｃ、下辺４１ｃ、基部４１ａ、磁路形成板４５および永久磁石４４で構成される開放用コイル４６を１周する磁気回路４９が形成される。そして、開放用コイル４６には、磁束が磁気回路４９を図１１の（ａ）に矢印で示される方向に流れるように通電される。
そこで、永久磁石４４による磁束の一部が、磁気回路４９に流れ、投入側磁気回路５１を流れる永久磁石４７による磁束が減少される。これにより、上フランジ部４２ｂと上辺４１ｂとの間の磁気吸引力が弱められる。一方、磁束が磁気回路４９に流れることにより、下フランジ部４２ｃと下辺４１ｃとの間に磁気吸引力が発生する。
【００４４】
そして、開放側コイル４６への通電を続けることにより、下フランジ部４２ｃと下辺４１ｃとの間の磁気吸引力およびワイプバネ２２の蓄勢力が上フランジ部４２ｂと上辺４１ｂとの間の磁気吸引力より大きくなり、可動鉄心４２が下方に移動する。そして、ワイプバネ２２の蓄勢力が放勢されると、可動鉄心４２の移動に連動して可動接触子２ａが固定接触子２ｂからの離反を開始する。この可動鉄心４２が開放位置に到達すると、図１１の（ｂ）に示されるように、開放側磁気回路５０が形成される。そこで、開放用コイル４６への通電が停止され、可動鉄心４２が開放側磁気回路５０により開放位置に保持され、可動接触子２ａが固定接触子２ｂから切り離された開放状態となる。
【００４５】
このように、この実施の形態２においても、投入・開放（遮断）操作の際に、開放用および投入用コイル４６、４７により形成される磁気回路４９、４８に流れる磁束が永久磁石４４の磁化方向Ａに流れるように構成されているので、永久磁石４４の減磁がなく、開閉動作の信頼性が向上される。
また、開放用磁気回路５０と投入用磁気回路５１とが固定鉄心４１内で分離して構成されているので、開放用および投入用コイル４６、４７の励磁とともに磁気回路が互いに干渉することなく切り替わる。そこで、コイル電流の立ち上がりが高速となり、高速な開閉動作を実現できる。
また、リンク機構２１が可動軸４３の一端に連結され、３相分の絶縁ロッド２０がワイプバネ２２を介してリンク機構２１に連結されているので、３相電力の電力用開閉装置を１つの電磁操作部４０で同時開閉動作できる。そこで、操作装置の低コスト化が図られるとともに、相間のばらつきがなく、遮断性能の信頼性を向上させることができる。
【００４６】
ここで、可動鉄心４２を投入方向に付勢する投入バネを配設するようにしてもよい。これにより、投入動作時に、上フランジ部４２ｂと上辺４１ｂとの間の磁気吸引力と投入バネの蓄勢力とが下フランジ部４２ｃと下辺４１ｃとの間の磁気吸引力より大きくなった時点で可動接触子２ａの固定接触子２ｂへの近接が開始されるようになり、高速な投入動作が実現される。
【００４７】
なお、上記実施の形態４では、各永久磁石４４は、その磁化方向Ａが可動鉄心４２の軸方向の投入方向と一致するように配置するものとしているが、各永久磁石４４は、その磁化方向Ａが可動鉄心４２の軸方向の開放方向と一致するようにに配置してもよい。この場合、開放・投入動作時に、開放用コイル４６および投入用コイル４７に通電する電流の向きを上記実施の形態４と逆向きにすればよい。
また、上記実施の形態４では、上記実施の形態１による開閉装置において、電磁操作部３０に代えて電磁操作部４０を用いるものとしているが、上記実施の形態２、３による開閉装置において、電磁操作部３０に代えて電磁操作部４０を用いても、同様の効果が得られる。
【００４８】
【発明の効果】
この発明は、以上のように構成されているので、以下に記載されているような効果を奏する。
【００４９】
この発明によれば、真空容器内に接離可能に設けられた可動接触子と固定接触子とを有する真空バルブを備えた電力用開閉装置の操作装置であって、
上記可動接触子に固定された絶縁ロッドと、
上記絶縁ロッドに相対的に接続され、上記可動接触子を上記固定接触子に対して接離させる駆動力を発生する電磁操作部と、
上記絶縁ロッドと上記電磁操作部との間に介装されて上記可動接触子を上記固定接触子に押し付ける方向に付勢する弾性部材とを備え、
上記電磁操作部が、
それぞれ第１および第２辺が基部の両端部から一側に延設されたコ字状に成形され、第１および第２辺の先端面を対向させて配設された一対の固定鉄心と、
第１および第２フランジ部が基部の軸心方向の両端部に該基部の軸心と直交するように形成され、上記一対の固定鉄心内に軸心方向に移動可能に配設された可動鉄心と、
一端が上記可動鉄心の第１フランジ部に同軸に固着され、上記一対の固定鉄心の第１辺間から延出する他端が上記弾性部材を介して上記絶縁ロッドに接続された可動軸と、
上記一対の固定鉄心の基部の内壁面にそれぞれ固着され、上記可動鉄心の軸方向と直交し、かつ、互いに逆向きに磁化された一対の永久磁石と、
一端が上記一対の永久磁石のそれぞれに接続され、他端側が上記第１フランジ部の上記第２フランジ部側の面に対向するように配置された一対の磁路形成板と、
上記一対の固定鉄心の基部のそれぞれの第１辺側に巻装された投入用コイルと、
上記可動鉄心の基部を囲繞するように該可動鉄心と上記磁路形成板とで囲まれた空間内に配設された開放用コイルとを有し、
上記一対の永久磁石は、上記可動接触子が上記固定接触子から切り離された上記真空バルブの開放状態では、上記永久磁石の磁束が、上記固定鉄心の基部、上記第２辺、上記第２フランジ部、上記可動鉄心の基部、上記第１フランジ部、上記磁路形成板、および上記永久磁石からなる開放側磁気回路を流れて、該可動接触子を該固定接触子から切り離す方向に上記可動鉄心を磁気吸引する磁気吸引力を発生し、かつ、上記可動接触子が上記固定接触子に当接した上記真空バルブの投入状態では、上記永久磁石の磁束が、上記固定鉄心の基部、上記第１辺、上記第１フランジ部、上記可動鉄心の基部、上記磁路形成板、および上記永久磁石からなる投入側磁気回路を流れて、該可動接触子を該固定接触子に当接させる方向に上記可動鉄心を磁気吸引する磁気吸引力を発生し、
上記真空バルブの投入動作時には、上記開放側磁気回路と上記永久磁石を共有する上記投入用コイルを１周する磁気回路を形成し、かつ、上記永久磁石の内部を磁化方向に磁束を流すように上記投入用コイルに通電し、上記真空バルブの開放動作時には、上記投入側磁気回路と上記永久磁石を共有する上記開放用コイルを１周する磁気回路を形成し、かつ、上記永久磁石の内部を磁化方向に磁束を流すように上記開放用コイルに通電するように構成されているので、開放側磁気回路および投入側磁気回路が異なる磁気回路で構成され、コイル電流の立ち上がりが高速となり、高速の開閉動作が可能となるとともに、永久磁石の減磁がなく、信頼性が向上される電力用開閉装置の操作装置が得られる。
【００５０】
また、真空容器内に接離可能に設けられた可動接触子と固定接触子とを有する真空バルブを備えた電力用開閉装置の操作装置であって、
上記可動接触子に固定された絶縁ロッドと、
上記絶縁ロッドに相対的に接続され、上記可動接触子を上記固定接触子に対して接離させる駆動力を発生する電磁操作部と、
上記絶縁ロッドと上記電磁操作部との間に介装されて上記可動接触子を上記固定接触子に押し付ける方向に付勢する弾性部材とを備え、
上記電磁操作部が、
それぞれ第１および第２辺が基部の両端部から一側に延設されたコ字状に成形され、第１および第２辺の先端面を対向させて配設された一対の固定鉄心と、
第１および第２フランジ部が基部の軸心方向の両端部に該基部の軸心と直交するように形成され、上記一対の固定鉄心内に軸心方向に移動可能に配設された可動鉄心と、
一端が上記可動鉄心の第１フランジ部に同軸に固着され、上記一対の固定鉄心の第１辺間から延出する他端が上記弾性部材を介して上記絶縁ロッドに接続された可動軸と、
上記可動鉄心の基部の上記第１フランジ部近傍に、上記一対の固定鉄心の基部のそれぞれに相対するように固着され、上記可動鉄心の軸方向と平行に、かつ、互いに同じ向きに磁化された一対の永久磁石と、
一端が上記一対の永久磁石のそれぞれの上記第２フランジ部側の面に接続され、他端側が上記固定鉄心の基部のそれぞれに近接するように配置された一対の磁路形成板と、
上記一対の固定鉄心の基部のそれぞれの第１辺側に巻装された投入用コイルと、
上記可動鉄心の基部を囲繞するように該可動鉄心と上記磁路形成板とで囲まれた空間内に配設された開放用コイルと、を有し、
上記一対の永久磁石は、上記可動接触子が上記固定接触子から切り離された上記真空バルブの開放状態で、上記永久磁石の磁束が、上記第１フランジ部、上記可動鉄心の基部、上記第２フランジ部、上記第２辺、上記固定鉄心の基部、上記磁路形成板、および上記永久磁石からなる開放側磁気回路を流れて、該可動接触子を該固定接触子から切り離す方向に上記可動鉄心を磁気吸引する磁気吸引力を発生し、かつ、上記可動接触子が上記固定接触子に当接した上記真空バルブの投入状態で、上記永久磁石の磁束が、上記第１フランジ部、上記第１辺、上記固定鉄心の基部、上記磁路形成板、および上記永久磁石からなる投入側磁気回路を流れて、該可動接触子を該固定接触子に当接させる方向に上記可動鉄心を磁気吸引する磁気吸引力を発生し、
上記真空バルブの投入動作時には、上記開放側磁気回路と上記永久磁石を共有する上記投入用コイルを１周する磁気回路を形成し、かつ、上記永久磁石の内部を磁化方向に磁束を流すように上記投入用コイルに通電し、上記真空バルブの開放動作時には、上記投入側磁気回路と上記永久磁石を共有する上記開放用コイルを１周する磁気回路を形成し、かつ、上記永久磁石の内部を磁化方向に磁束を流すように上記開放用コイルに通電するように構成されているので、開放側磁気回路および投入側磁気回路が異なる磁気回路で構成され、コイル電流の立ち上がりが高速となり、高速の開閉動作が可能となるとともに、永久磁石の減磁がなく、信頼性が向上される電力用開閉装置の操作装置が得られる。
【００５１】
また、３相分の上記絶縁ロッドが並列に配設され、上記可動軸がリンク機構を介して３相分の上記絶縁ロッドに連結され、３相分の上記真空バルブが１つの上記電磁操作部により投入・開放制御されるように構成されているので、３相を同時駆動でき、相間のばらつきがなく、遮断性能の信頼性が向上されるとともに、構造の簡素化が図られ、部品点数が削減でき、低価格化が図られる。
【００５２】
また、３相分の上記絶縁ロッドが並列に配設され、それぞれ、上記可動軸、上記弾性部材および上記絶縁ロッドを直線的に配置して構成された３相分の上記電磁操作部が、並列に配設されているので、各相の個別制御が可能となり、位相同期開放・投入が可能となる。
【００５３】
また、隣り合う上記電磁操作部が上記可動軸の軸方向にオフセットされて段違いに配設されているので、小型化が図られると共に、電磁力を省電力で発生させることができる。
【図面の簡単な説明】
【図１】  この発明の実施の形態１に係る電力用開閉装置の操作装置の全体構成を示す断面図である。
【図２】  この発明の実施の形態１に係る電力用開閉装置の操作装置における電磁操作部を示す断面図である。
【図３】  この発明の実施の形態１に係る電力用開閉装置の操作装置における電磁操作部の投入・開放状態を模式的に示す断面図である。
【図４】  この発明の実施の形態１に係る電力用開閉装置の操作装置における電磁操作部の投入動作を説明する図である。
【図５】  この発明の実施の形態１に係る電力用開閉装置の操作装置における電磁操作部の開放動作を説明する図である。
【図６】  この発明の実施の形態２に係る電力用開閉装置の操作装置の全体構成を示す断面図である。
【図７】  この発明の実施の形態３に係る電力用開閉装置の操作装置の全体構成を示す断面図である。
【図８】  この発明の実施の形態４に係る電力用開閉装置の操作装置における電磁操作部を示す断面図である。
【図９】  この発明の実施の形態４に係る電力用開閉装置の操作装置における電磁操作部の投入・開放状態を模式的に示す断面図である。
【図１０】  この発明の実施の形態４に係る電力用開閉装置の操作装置における電磁操作部の投入動作を説明する図である。
【図１１】  この発明の実施の形態４に係る電力用開閉装置の操作装置における電磁操作部の開放動作を説明する図である。
【図１２】  従来の電力用開閉装置の操作装置を示す模式断面図である。
【図１３】  従来の電力用開閉装置の操作装置の開放動作説明図である。
【図１４】  従来の電力用開閉装置の操作装置の投入動作説明図である。
【符号の説明】
２  真空バルブ、２ａ  可動接触子、２ｂ  固定接触子、２ｃ  真空容器、２０  絶縁ロッド、２１  リンク機構、２２  ワイプバネ（弾性部材）、２８、５０  開放側磁気回路、２９、５１  投入側磁気回路、３０、４０  電磁操作部、３１、４１  固定鉄心、３１ａ、４１ａ  基部、３１ｂ、４１ｂ  上辺（第１辺）、３１ｃ、４１ｃ  下辺（第２辺）、３２、４２  可動鉄心、３２ａ、４２ａ基部、３２ｂ、４２ｂ  上フランジ部（第１フランジ部）、３２ｃ、４２ｃ  下フランジ部（第２フランジ部）、３３、４３  可動軸、３４、４４  永久磁石、３５、４５  磁路形成板、３６、４６  開放用コイル、３７、４７  投入用コイル、１００、１０１、１０２  開閉装置、Ａ  磁化方向。
【図１】
0004629271.tif 000002
【図２】
0004629271.tif 000003
【図３】
0004629271.tif 000004
【図４】
0004629271.tif 000005
【図５】
0004629271.tif 000006
【図６】
0004629271.tif 000007
【図７】
0004629271.tif 000008
【図８】
0004629271.tif 000009
【図９】
0004629271.tif 000010
【図１０】
0004629271.tif 000011
【図１１】
0004629271.tif 000012
【図１２】
0004629271.tif 000013
【図１３】
0004629271.tif 000014
【図１４】
0004629271.tif 000015